(57)【特許請求の範囲】
【請求項１】
可視表示スクリーンと、前記表示スクリーンに隣接して配置され少なくとも部分的に透明でありその部分を通して前記表示スクリーンを見ることができるパネル形状部材と、前記パネル形状部材の端部又は周辺部に取り付けられ前記パネル形状部材にエネルギーを付与して前記パネル形状部材を音響ラジエータとして作用させる振動励振変換器とを備えるラウドスピーカ駆動ユニットであって、前記パネル形状部材が可聴周波数に共振するように配置され、前記振動励振変換器が前記パネル形状部材に撓み波エネルギーを付与するようになっており、その部材を共振させて共振時に音響ラジエータとして作用させ、前記パネル形状部材の１つ又はそれ以上の周辺部がクランプされ又は拘束されていることを特徴とするラウドスピーカ。
【請求項２】
前記共振パネル形状部材の全体が透明であることを特徴とする請求項１に記載のラウドスピーカ。
【請求項３】
振動励振器が対になって前記パネル形状部材の１つの端部又は複数の端部又は周辺部に取り付けられることを特徴とする請求項１又は２に記載のラウドスピーカ。
【請求項４】
前記振動励振変換器又は各々の振動励振変換器が、前記パネル形状部材に直接結合されていることを特徴とする請求項１から３までのいずれか１項に記載のラウドスピーカ。
【請求項５】
前記振動励振変換器が、慣性式であることを特徴とする請求項１から４までのいずれか１項に記載のラウドスピーカ。
【請求項６】
前記駆動ユニットが取り付けられる関連する支持手段を備えることを特徴とする請求項１から５までのいずれか１項に記載のラウドスピーカ。
【請求項７】
前記共振パネル部材が、前記関連する支持手段上に弾性支持されることを特徴とする請求項６に記載のラウドスピーカ。
【請求項８】
前記パネル部材が矩形形状であり、前記弾性支持のための支持材が該パネル部材の少なくとも３つの隣接縁に沿って延びることを特徴とする請求項７に記載のラウドスピーカ。
【請求項９】
前記振動励振器又は各々の振動励振器が、前記関連する支持手段に弾性的に取り付けられていることを特徴とする請求項６から８までのいずれか１項に記載のラウドスピーカ。
【請求項１０】
前記パネル形状部材の１つ又はそれ以上の周辺部が、機械的にクランプされていることを特徴とする請求項１から６までのいずれか１項に記載のラウドスピーカ。
【請求項１１】
パネル形状部材が、パネル形状部材の表面を取り囲む、関連するキャビティ形成手段又はエンクロージャに取り付けられ、それにより前記表面からの音響放射が前記エンクロージャ又はキャビティに少なくとも部分的に包含されることを特徴とする請求項１から請求項１０までのいずれか１項に記載のラウドスピーカ。
【請求項１２】
前記エンクロージャ又はキャビティは深さが浅く、前記パネル形状部材のモード特性を変更するようになっていることを特徴とする請求項１１に記載のラウドスピーカ。
【請求項１３】
前記共振パネル形状部材が、ユーザがアクセス可能な表面と、その表面に又はその表面に関連して設けられ、ユーザの接触に応答する手段とを備えることを特徴とする請求項１から１２までのいずれか１項に記載のラウドスピーカ。
【請求項１４】
請求項１から１３までのいずれか１項に記載のラウドスピーカを備えることを特徴とする電話受話器。
【請求項１５】
請求項１から１３までのいずれか１項に記載のラウドスピーカを備えることを特徴とする携帯パーソナルコンピュータ。
【発明の詳細な説明】
【０００１】
（技術分野）
本発明はラウドスピーカに関し、より詳細には、単独か、又は別の物品と統合して使用される場合、半透明又は透明なガラス状のパネルを組み込んだ例えば額縁、陳列キャビネット、視覚表示スクリーン及び鏡等や、個人用オーガナイザーと携帯型コンピュータを含み視覚表示スクリーンを有するラップトップ等のパーソナルコンピュータや、表示装置を有する携帯電話等の電話受話器などの共振パネル形状ラウドスピーカとパネル形状ラウドスピーカ駆動ユニットに関し、さらに前記の別の物品内に組み込まれてラウドスピーカとして駆動される表示スクリーンを備えるモジュールに関する。
【０００２】
このような共振パネル形状ラウドスピーカは、全体的に国際特許出願ＷＯ９７／０９８４２に説明されており、分布モード（またはＤＭ）ラウドスピーカ（またはＤＭＬ）として知られている。
【０００３】
（背景技術）
腕時計の透明な表面を駆動してブザーまたは音響器と作動させること、すなわち単純な音色を発生させて、例えば腕時計の着用者に対してアラームとして作動させることはよく知られている。
本発明の目的は、ラウドスピーカとして駆動できる共振透明パネル形状の部材を提供して例えば音声や音楽を再生することを含んでいる。
本発明の別の目的は、共振パネルラウドスピーカの機能を高めて、ユーザが直接入力可能にすることである。
【０００４】
（発明の開示）
本発明によれば、ラウドスピーカ駆動ユニットは、表示スクリーンと、少なくとも一部分が透明であり、その部分を通して表示スクリーンを見ることができる共振パネル形状部材と、パネル形状部材を共振させて音響ラジエータとして作用させる振動励振手段とを備える。
【０００５】
１つの態様において本発明は、可視表示ユニット（ＶＤＵ）等の表示スクリーンモジュールであって、表示スクリーンと、少なくとも一部分が透明であり、その部分を通して表示スクリーンを見ることができる共振パネル形状部材と、パネル形状部材を共振させて音響ラジエータとして作用させる振動励振手段とを備える。
【０００６】
別の態様において本発明は、可視領域または表面を有する、絵画用額縁または保持具、陳列キャビネット、可視表示装置、鏡等の類の物品であって、少なくとも一部が透明又は半透明であり、その部分を通して表示領域又は表面又は物品を見ることができ、または少なくともその部分を通して表示領域からの光を伝達可能な共振パネル形状部材と、パネル形状部材を共振させて音響ラジエータまたはラウドスピーカとして作用させる振動励振手段とを備える。
【０００７】
別の態様において本発明は、携帯電話又はセルラ電話等の電話受話器であって、表示スクリーンと、少なくとも一部分が透明であり、その部分を通して表示スクリーンを見ることができる共振パネル形状部材と、パネル形状部材を共振させて音響ラジエータとして作用させる振動励振手段とを備える。
共振パネル形状部材は、ポリスチレン等の剛性のあるプラスチック、ガラス又は他の剛性のある透明材料であってもよい。
【０００８】
パネル形状部材に撓み波エネルギーを与え共振させて音響出力を生成するために、１つ以上の振動励振手段を設けることができる。このような複数の振動励振器は、同一信号で駆動されてモノラル出力を与えるか、別々に駆動されて多チャンネル、例えばステレオ出力を与える。その駆動手段又は各々の駆動手段は、パネル形状部材の端部又は周辺部、又はその透明部分の外側にあるパネル形状部材の一部分に取り付けられる。周辺部への取り付けについては国際特許出願ＰＣＴ／ＧＢ９９／００１４３の添付書類Ａで説明されている。振動励振器は一対になってパネル形状部材の端部又は周辺部、又は反対側の端部又は周辺部、又はその透明部分の外側にある部材の一部分に取り付けることができる。振動励振手段又は各々の励振手段は、パネル形状部材に直接取り付けることができる。振動励振器は、電気力学的なもの又は圧電式であってもよい。振動励振器は、慣性装置を有し、部分的に又は全体的に接地されていてもよい。振動励振器は、ラップトップコンピュータのリッド等の関連部材に弾性支持されてもよい。パネル形状部材は、フレームの１つ又はそれ以上の端部に沿って弾性支持されてもよい。つまり、パネルが矩形の場合、弾性支持は３つの隣接する端部に沿って延び、励振器を４つ目の端部に設けてもよい。もしくは、パネルの４つの端部がすべて弾性支持されていてもよい。
【０００９】
振動励振器は、別の方法として又は追加的に、透明な圧電フイルムやエレクトレット・フイルム等の、ＰＶＤＦ又はＰＬＺＴ材の圧電フイルムやエレクトレット・フィルムを備えてもよい。圧電材料又はエレクトレット材料は、ガラス、プラスチック、又はガラスとプラスチックとの複合物である、パネル形状部材の一部又は全体に積層又は融着でき、他の方法として表面又は内部に接着又は埋め込むことができる。また、振動励振器に電圧を加えるための透明導体をパネルの表面または内部に設けてもよい。
【００１０】
ラウドスピーカ又はラウドスピーカ駆動ユニットは、国際特許出願番号ＷＯ９７／０９８４２に説明される一般的な種類であってもよい。つまり、ラウドスピーカは、厚さに対して横方向に延びる少なくとも１つの動作領域において、撓み波によって入力振動エネルギーを維持して伝播できる部材を備え、該少なくとも１つの領域にわたって共振モード振動成分を分布させ、さらに該部材上に振動励振器が取り付けられて該部材を振動させ、共振により音響出力を与える音響ラジエータを形成する共振を引き起こすようになっている。
パネル形状部材の１つ又はそれ以上の周辺部は、クランプ又は拘束されてもよい。パネル形状部材の全ての周縁部は機械的にクランプされてもよい。
【００１１】
パネル形状部材は、該パネル形状部材の１つの表面を取り囲む手段によって取り付けることができ、これにより１つの表面からの音響放射は、無限バッフルラウドスピーカの様式で少なくとも部分的にエンクロージャ又はキャビティ内に含まれる。エンクロージャ又はキャビティは、国際特許出願ＰＣＴ／ＧＢ９９／０１０４８の添付書類Ｂに説明されているパネルモード作用を変更するようなものであってもよい。
【００１２】
パネル形状部材は、ラップトップ等のコンピュータに使われる液晶又はプラズマ表示装置等の、可視表示スクリーン又はその上の外側透明保護表面等の、可視表示ユニット等の表面を形成できる。ポリマーフィルム液晶表示装置は、パネル形状部材に接着され又は別の方法で取り付けられ、又は一体化でき、それによりラウドスピーカと可視表示装置の機能とが一体化される。
【００１３】
共振パネル形状部材は、ユーザがアクセス可能な表面と、この表面上に又はこの表面に関連して設けられ、ユーザの接触に応答する手段とを備える。ユーザに応答する手段は、タッチコントロール手段として作動し、例えば、それによってユーザがラウドスピーカに関連する装置等に指示を入力し情報を与えることができる。
つまり、例えばラウドスピーカは、国際特許出願ＷＯ９７／０９８４２に説明されている類の自動販売機に関連する制御パネルを形成したり、コンピュータを制御したりすることができる。
【００１４】
ユーザ応答手段は、可視又は不可視領域を備えることができ、所望の印刷又はラベル貼付によって、又は可視の場合接点や金属被覆によって描画され、人間、指などの存在や接触を即座に感知する容量性、誘電性又は別の方法を使用できる。圧力スイッチを表面に取り付けたり内部に埋め込んだりしてもよい。透明又は半透明形式のスピーカに対して、これらの又は別のよく知られた方法を使用できる。
【００１５】
また、共振スピーカパネルは、パネル周縁部の周りに、例えばフォトダイオード及び／又はフォトセルといった発光装置と受光装置のマトリックスを含み、例えばパネル上の一点を指示する指の位置を検知する別の検知方法と組み合わせてもよい。
【００１６】
金属被覆接点を使用する場合、これらは酸化金属膜又は薄い金属膜であってもよく、それに関して所望で有れば配線を含めて透明にしてもよい。つまり、接触領域とパネルの端部への接続配線とはパネルの光学特性を損なわないよう設計してもよい。
【００１７】
応用例としては、コンピュータ及び画像表示装置の透明な共振パネルラウドスピーカ、透明な表示装置及び照明付き共振パネルスピーカ、自動切符販売機（ＡＴＭ）、及び自動販売機応用のためのタッチスクリーン制御部を含む。例えば照明されるか否かを問わず遠隔制御ユニット用の音声又は音響情報伝達装置の共振タッチパネル等の民生用電子機器、又は適当な領域の携帯電話表示装置への応用、又は表示装置とラウドスピーカと照明付き制御パネルの組み合わせ等の他の多くのカテゴリーがある。携帯テレビ電話の開発に伴い、この概念は、画像表示装置組立体又は関連するデザインの一部を形成する透明タッチ型スピーカパネルに対してさらなる技術的価値をもたらす。
【００１８】
スイッチボタンが組み込まれた共振スピーカパネルによる制御設定のユーザ・フィードバックは、ハイファイ装置や音響装置、特にホームシアターシステムなど複雑な設定が要求される制御部において実用性がある。
【００１９】
また、皿洗い機や洗濯機等の家電製品は、この技術を付加することにより恩恵を受け、解析器やオシロスコープなどの産業用機器も同様に恩恵を受けることができる。
【００２０】
本発明は、ラップトップ等のコンピュータ制御、販売情報管理システム、個人用在庫管理及びラベル貼付装置、自動車用ナビゲーション装置、共振パネルスピーカ設計を構成する「窓」を備えるダッシュボード表示装置、音声出力と、ユーザ／顧客データ入力つまり操作情報の制御機能を備えるＰＯＳ製品、同様に美術館や動物園などの教育用表示装置、対話式オーディオ可視装置などに適用できる。
本発明は添付図面において例示的に図示されている。
【００２１】
（発明を実施するための最良の形態）
図１及び図２において、ラップトップコンピュータは、キーパッド２７と、２８において本体に対してヒンジ結合されるリッド２２とを有する本体２１を備え、リッドは、閉じるとキーパッドに重なり、図示のように立てるとすなわち開けると可視表示スクリーン２３が露出する。図１において、リッドは隠れた部分を詳細を示すために部分的に切欠いてある。
【００２２】
ラップトップのリッド２２には周囲の周縁リップ２９が形成されており、例えばＷＯ９７／０９８４２で説明した一般的な種類の共振パネル形状部材の形態の矩形の透明な保護カバー２４を通して見ることができる液晶表示装置（ＬＣＤ）スクリーン２３が取り付けられている浅いコンテナすなわちエンクロージャ３０を備えており、カバーは、発泡ゴムストリップ等の挿入された弾性支持２５によって全ての４つの端部、すなわち両側端３１、上端３３および下端３２に沿ってリッドに吊られている。２組の可動コイル式慣性振動励振器２６はパネル形状カバー２４の上端３２で側端３１の近傍に取り付けられ、パネルを駆動して共振させラウドスピーカとして作用させるようになっており、励振器はリッドに固定された発泡ゴム等の弾性支持３４上に支持されている。励振器は周縁リップ２９の折り返しフランジ３５の後ろ側に隠されており使用時には見えない。
【００２３】
パネルの上端に取り付けられた２組の励振器が示されているが、例えばステレオといった多チャンネル音響作動が要求される場合、良好なステレオ分離を得るために、励振器の対をパネルの対向する側部に取り付けて更に一層離すことが望ましい。
【００２４】
透明パネル形状部材２４は、ポリスチレン、ポリカーボネート又は同様のもの、又は例えばガラス被覆を有するプラスチック又はエローゲルといったガラスとプラスチックの複合材であってもよい。パネル形状部材がプラスチック表面をもつ場合、耐引っかき性被覆を付与してもよい。
【００２５】
図３及び図４において、携帯無線電話すなわちセルラ電話４０は、一般的に無線発信器と受信器（図示せず）を含むケーシング４１と、ケーシングから突出して無線信号を送受信するアンテナ４２と、ケーシングに取り付けられる表示スクリーンと、この表示スクリーンに隣接してケーシング中にあり装置を作動させるためのキーパッド４４と、マイクロフォン４９とを備える。
【００２６】
図４に示すように、ケーシング４１は、周囲の周縁リップ４５によって定められた開口が形成され、その下部には全体的に符号４３で示される表示スクリーンが取り付けられており、開口を覆いかつリップ４５の内面とパネル形成部材４６の周縁部との間に挿入された、例えば発泡ゴムストリップ４７といった弾性支持部材によって周縁部に沿ってケーシングに吊られてシールされている、共振パネル部材の形態の矩形の透明保護カバー４６を通して見ることができる、例えば液晶表示装置（ＬＣＤ）５１を備えている。慣性可動コイル振動励振器４８は、透明パネル形状カバー部材の上端に取り付けられ、パネルを駆動して共振させてＷＯ０９７／０９８４２で教示される一般的な方法でラウドスピーカとして作用させる。励振器４８は、ケーシングに固定された例えば発泡ゴムといった弾性支持部５０に支持されている。励振器は、ケーシングの開口の周縁リップ４５の後ろ側に隠されており使用時には見えない。透明パネル形状部材２４は、ポリスチレン、ポリカーボネート又は同様のもの、又は例えばガラス被覆を有するプラスチック又はエローゲルなどのガラスとプラスチックの複合材であってもよい。パネル形状部材４６がプラスチック表面をもつ場合、耐引っかき性被覆を付与してもよい。
【００２７】
ラウドスピーカは通常、プライバシーを守るためにユーザの耳元において使うか、「ハンズフリー」電話としてボリュームを上げて使うことが意図されている。ラウドスピーカには機械的ブザーすなわち無音警報を組み込むことができる。このようなブザーとしては振動励振器４８又は別の装置を使用できる。
【００２８】
図５は壁掛け式の絵画又は写真用フレーム組立体６０を示しており、絵画を所定位置に支持するために壁フックと係合するようになっている吊り下げワイヤー６８を有する矩形の前側フレーム６１と、絵画６３を保護するカバーを形成する透明な矩形パネル形状部材６２とを備えている。図７ａに示すように、前側フレーム６１には開口を定める周囲の周縁リップ６４が形成され、この開口を通して絵画／写真６３等を見ることができ、透明な保護カバー６２は、共振パネル形状部材の形態であり、フレーム６１に、その周縁に沿って発泡ゴムストリップ等の挿入された弾性サスペンション６５によって弾性的に吊られている。後側フレーム６７は、前側フレーム６１と結合されており、第２の弾性サスペンション６５を有しており、それによってパネル６２の周縁部は両側から支持されるようになっている。後側フレーム６７は絵画の背面６９を支え、その上に絵画６３が従来のいずれかの方法で取り付けられる。
【００２９】
２つの可動コイル慣性振動励振器６６は、パネル形状カバー部材の上端６７に取り付けられ、パネルを駆動して共振させてラウドスピーカとして作用させる。励振器は、周縁リップ６４の後ろ側に隠されており使用時には見えない。透明パネル形状部材２４は、ポリスチレン、ポリカーボネート又は同様のもの、又は例えばガラス被覆を有するプラスチック又はエローゲルなどのガラスとプラスチックの複合材であってもよい。パネル形状部材がプラスチック表面をもつ場合、耐引っかき性被覆を付与してもよい。このように配置することで絵画は必要なとき容易に交換できる。
【００３０】
図５の配置は壁掛け式を意図しているが、絵画／写真フレーム組立体６０は、必要であれば一般に従来型の背面スタンドを追加して自立型にできることを理解されたい。
【００３１】
図６は、全体的に立方形の自立型陳列キャビネット７０を示し、台輪７１、天板７２および４つの透明な表示窓７３を備えており、表示窓は、キャビネットの各々の面にそれぞれあり台輪と天板との間に延びている。
このキャビネットにおいて、１つ又はそれ以上の例えば全ての４つの窓７３は、振動励振器７４の助けを借りて実質的にＷＯ９７／０９８４２で説明される方法によって共振パネル形状ラウドスピーカとして作用する。
【００３２】
図６及び図７ｂの陳列キャビネット７０は、絵画フレーム６０に関して図５及び図７ａに示すものとほぼ同様に構成され機能する。つまり、矩形の共振透明パネル形状部材７３は、キャビネットの天板７２と台輪７１にある発泡ゴム又は同様のストリップ７５の間に弾性的に吊られており、慣性振動励振器７４は、天板７２のフランジ７９の後ろ側のパネル７３に取り付けられ隠されている。つまり、透明パネルは駆動され共振してラウドスピーカとして作用し、例えばキャビネット中の商品や工芸品の陳列に音声要素を付加する。
透明パネル７３は前述のように構成できる。
【００３３】
図８及び図９は、全体的に図１及び図２の実施の形態を参照して説明した類の可視表示スクリーンと共振パネル形状ラウドスピーカとを備えるモジュール８０を示す。この場合、モジュール８０は、例えばテレビジョン、ＶＤＵ等の完成品を形成する後述の組立体を作ることができる自立型ユニットを形成することが意図されている。モジュールは、プレス加工された軽金属で作られた全体的に矩形のフレーム８２を有し、その中又はその上に例えば液晶表示装置といった可視表示スクリーン８１が弾性的に取り付けられており、スクリーン８１の上には矩形の透明パネル形状部材８３が弾性的に吊られている。パネル形状部材８３は、フレーム８２上に支持された発泡ゴム又は同様の周縁弾性ストリップ８７上に吊られている。例えば、発泡ゴムストリップの弾性シール／サスペンション８５は、スクリーン８１の端部とパネル８３との間に挿入され、その間にキャビティを形成する。振動励振器８７は、スクリーン８１の領域の外側に位置するようパネル８３の周縁部に取り付けられ、パネルを駆動して共振させてラウドスピーカとして作用させる。
【００３４】
図１０は、制御パネル９２と出口シュートつまり販売シュート９３を有するキャビネット９１を備える自動販売機９０を示す。制御パネル９２は、図８及び図９に関連して前述したような組み合わされた可視表示装置と音響モジュール８０とを有し、自動販売機を容易に機能させ、以下に説明するような追加機能を備えることもできる。
【００３５】
図１１は、図８及び図９に関連して前述したような、組み合わされた表示装置／ラウドスピーカモジュール８０を収納するキャビネット１０１を有する可視表示装置１００を示し、キャビネット１０１は、一般に従来型の制御ボタン又はノブ１０２を有している。表示スクリーン上に前面カバーを形成する透明パネル８３の対向する側部には、「ａ」から「ｆ」の領域が形成されており、その領域はタッチパッドであり、ユーザはそれぞれ適切なパッドに単に触れることによって装置１００の機能を制御できる。
【００３６】
図１２から図１６は、本発明の前述の応用例にタッチパッドを如何に適用できるかを示す。例えば、図１２はラップトップコンピュータ２０のスクリーンに適用されたタッチパッド「ｏ」、「ｐ」を示し、一方で図１３は携帯電話４０のスクリーンに適用されたタッチパッド「ｈ」から「ｍ」を示す。
図１４は、共振パネル上のタッチパッドを示す断面略図である。
図１５及び図１６は、図８及び図９に示される種類のモジュール８０の共振パネルに適用されたタッチパッド８８を示す。
【００３７】
図１７は、本発明が陰極線管（ＣＲＴ）やプラズマスクリーン１１０に如何に適用できるかを示す。図面には本発明の顕著な特徴のみが示されている点に留意されたい。明瞭にするためにテレビジョンのケース又はキャビネットは図示されていないが、ケース又はキャビネットは、組合わされた可視表示装置１１１とラウドスピーカとを支持する機能を果たし、図１及び図２のラップトップコンピュータのリッドは、表示装置／ラウドスピーカを支持する機能を果たす。
【００３８】
図示するように、矩形パネル１１２は可視表示装置１１１の前方に配置され、パネル１１２には丸みをつけたコーナー１１４を有する透明窓１１４が形成されている。振動励振器１１５は、窓１１３の外側で、その対向する側部のパネル１１２の周辺部に配置される。タッチパッド１１６は、窓の下端に沿って配置される。所望で有れば、窓の外側のパネル形状部材の部分はマスクとして機能させることができ、関連する構成要素を隠すことができ、別のマスクをパネル形状部材の上に配置することもできる。
【００３９】
つまり、本発明は可視表示装置とラウドスピーカとを組み合わせた組立体を提供し、薄型でスペース効率のよいＶＤＵ又はテレビジョン等の製造を可能にする。
本出願の国際出願時に未公開で、本出願の国際出願後に国際公開されたＰＣＴ／ＧＢ９９／００１４３（ＷＯ９９／３７１２１）及びＰＣＴ／ＧＢ９９／０１０４８（ＷＯ９９／５２３２２）は、本件発明の実施に際して参考となる技術を開示しており、これら国際出願の明細書及び図面は、本出願の明細書及び図面の一部を構成するものとして、添付書類Ａ及びＢの形で、本願の国際出願時に本出願明細書に添付して提出された。従って、本明細書において、ＰＣＴ／ＧＢ９９／００１４３（ＷＯ９９／３７１２１）及びＰＣＴ／ＧＢ９９／０１０４８（ＷＯ９９／５２３２２）の明細書及び図面を、その一部を構成するものとして、ここに引用する。
【図面の簡単な説明】
【図１】  コンピュータのキーボードと表示装置を示すよう立てられているリッドを有するラップトップコンピュータの斜視図である。
【図２】  図１に示すラップトップコンピュータのリッドの部分断面図である。
【図３】  キーパッドと表示スクリーンを有する携帯無線電話又はセルラ電話の斜視図である。
【図４】  図１の携帯電話の部分縦断面図である。
【図５】  壁に掛けることが意図されているラウドスピーカと組み合わされた絵画フレーム組立体の組立分解斜視図である。
【図６】  店舗又は博物館などで使用されるラウドスピーカを組み込んだ陳列ケースの斜視図であり、隠れた部分を詳細に示すため部分的に切欠いてある。
【図７ａ】  図５の絵画フレーム組立体の部分的に切り取った断面図である。
【図７ｂ】  図６の陳列ケースの部分的に切り取った断面図である。
【図８】  表示スクリーンモジュールの斜視図であり、表示スクリーンの機能とラウドスピーカの機能とが一体化されている。
【図９】  図８のモジュールの断面図である。
【図１０】  本発明による、組み合わされたラウドスピーカ／表示スクリーンが組み込まれた自動販売機の斜視図である。
【図１１】  本発明による、組み合わされたラウドスピーカ／表示スクリーンが組み込まれたテレビジョン等の可視表示ユニットの斜視図である。
【図１２】  全体的に図１に示す種類のラップトップコンピュータの斜視図であり、表示スクリーンがタッチパッドを備えている。
【図１３】  全体的に図３に示す種類の携帯電話の斜視図であり、表示スクリーンがタッチパッドを備えている。
【図１４】  組み合わされた共振パネルラウドスピーカとタッチパッドの部分側断面図である。
【図１５】  全体的に図８に示すタッチパッドを有するモジュールの組立分解斜視図である。
【図１６】  全体的に図９に示すタッチパッドを有するモジュールの横断面図である。
【図１７】  テレビジョンに適用された表示スクリーン／ラウドスピーカ駆動ユニットの部分斜視図である。
【図１】
0004614534.tif 000002
【図２】
0004614534.tif 000003
【図３】
0004614534.tif 000004
【図４】
0004614534.tif 000005
【図５】
0004614534.tif 000006
【図６】
0004614534.tif 000007
【図７ａ】
0004614534.tif 000008
【図７ｂ】
0004614534.tif 000009
【図８】
0004614534.tif 000010
【図９】
0004614534.tif 000011
【図１０】
0004614534.tif 000012
【図１１】
0004614534.tif 000013
【図１２】
0004614534.tif 000014
【図１３】
0004614534.tif 000015
【図１４】
0004614534.tif 000016
【図１５】
0004614534.tif 000017
【図１６】
0004614534.tif 000018
【図１７】
0004614534.tif 000019